(57)【要約】  【課題】  本発明は公営競技の予想情報販売に関し、より詳細には予想屋が作成したワンセグによるローカル放送とインターネットによるＷｅｂ情報とを連携して携帯電話から購入要求のあったレースの予想情報の販売を行う予想情報販売システム、予想情報販売プログラムおよび予想情報販売方法に関するものである。  【解決手段】  本発明の予想情報販売システムは、携帯電話と、予想情報を保持するＷｅｂサーバと、予想情報に関連した映像放送用情報とＷｅｂサーバのアドレス情報を含むデータ放送用情報とを保持するローカル放送配信サーバとを備え、携帯電話はローカル放送の受信エリアにあって利用者からの購入要求情報を受け付けＷｅｂサーバに購入要求情報を送信して予想情報を取得し、Ｗｅｂサーバは、携帯電話からの購入要求情報を受信して本人認証後に所定の決済処理を行って予想情報を携帯電話に送信する、よう構成する。【選択図】    図１
2008282202.tif 000002
【特許請求の範囲】
【請求項１】
利用者が所持するインターネットとワンセグとに対応可能な携帯電話と、
公営競技の予想屋によって登録されたレースの予想情報と、前記利用者が会員であることを特定する会員情報とを記憶部に保持するＷｅｂサーバと、
前記予想情報に関連した映像放送用情報と前記Ｗｅｂサーバのアドレス情報を含むデータ放送用情報とを保持し、該映像放送用情報と該データ放送用情報とをワンセグ送信機から微弱電波で限られたエリアに放送するローカル放送配信サーバとを備え、
前記携帯電話は、
前記エリアにあって前記放送を受信し、該放送に基づいて前記利用者によって入力された前記予想情報の購入要求情報を受け付け、前記データ放送用情報から前記アドレスを抽出して該Ｗｅｂサーバにアクセスし、該購入要求情報を送信する予想情報購入要求手段と、
前記Ｗｅｂサーバから会員を特定する認証情報の入力要求に応じて該利用者が入力した該認証情報を返信し、該Ｗｅｂサーバから前記購入要求情報に基づいた前記予想情報を取得する予想情報取得手段を有し、
前記Ｗｅｂサーバは、
前記携帯電話からの前記購入要求情報を受信し、会員の確認を行う認証情報の入力要求を該携帯電話に送信し、該認証情報要求に基づいて該携帯電話から返信された該認証情報を前記会員情報の参照により認証を行う認証手段と、
前記認証手段により認証が得られた場合に、所定の決済処理を行って前記購入要求情報に対応する前記予想情報を前記記憶部から抽出し、前記携帯電話に送信する予想情報送信手段とを有する、
ことを特徴とする公営競技の予想情報販売システム。
【請求項２】
前記Ｗｅｂサーバは、さらに
予想屋本人を特定する予想屋情報を記憶部に保持する予想屋情報記憶手段と、
予想屋端末から前記予想情報の登録要求または更新要求を受け、前記予想屋本人の確認を行う予想屋認証情報の入力要求を該予想屋端末に送信し、該予想屋認証情報要求に基づいて該予想屋端末から返信された該予想屋認証情報を前記予想屋情報の参照により認証を行う予想屋認証手段と、
前記予想屋認証手段により認証が得られた場合に、予想屋端末から送信された予想情報の登録、または更新を前記記憶部に行う予想情報登録更新手段とを有する
ことを特徴とする請求項１に記載の公営競技の予想情報販売システム。
【請求項３】
前記購入要求情報は、１つ以上を指定したレースに対する予想情報であり、
前記決済処理は前記購入要求情報に応じて予め設定した所定料金により決済する
ことを特徴とする請求項１に記載の公営競技の予想情報販売システム。
【請求項４】
利用者が所持するインターネットとワンセグとに対応可能な携帯電話と、公営競技の予想屋によって登録されたレースの予想情報と前記利用者が会員であることを特定する会員情報とを記憶部に保持するＷｅｂサーバと、該予想情報に関連した映像放送用情報と該Ｗｅｂサーバのアドレス情報を含むデータ放送用情報とを保持し、該映像放送用情報と該データ放送用情報とをワンセグ送信機から微弱電波で限られたエリアに放送するローカル放送配信サーバとを備えた予想情報販売システムにおける該携帯電話と該Ｗｅｂサーバが備える予想情報販売プログラムであって、
前記携帯電話のコンピュータに、
前記エリアにあって前記放送を受信し、該放送に基づいて前記利用者によって入力された前記予想情報の購入要求情報を受け付け、前記データ放送用情報から前記アドレスを抽出し該Ｗｅｂサーバにアクセスして該購入要求情報を送信する予想情報購入要求手順と、
前記Ｗｅｂサーバから会員を特定する認証情報の入力要求に応じて該利用者が入力した該認証情報を返信し、該Ｗｅｂサーバから前記購入要求情報に基づいた前記予想情報を取得する予想情報取得手順と
を実行させ、前記Ｗｅｂサーバのコンピュータに、
前記携帯電話からの前記購入要求情報を受信し、会員の確認を行う認証情報の入力要求を該携帯電話に送信し、該認証情報要求に基づいて該携帯電話から返信された該認証情報を前記会員情報の参照により認証を行う認証手順と、
前記認証手段により認証が得られた場合に、所定の決済処理を行って前記購入要求情報に対応する前記予想情報を前記記憶部から抽出し、前記携帯電話に送信する予想情報送信手順と
を実行させるための公営競技の予想情報販売プログラム。
【請求項５】
利用者が所持するインターネットとワンセグとに対応可能な携帯電話と、公営競技の予想屋によって登録されたレースの予想情報と前記利用者が会員であることを特定する会員情報とを記憶部に保持するＷｅｂサーバと、該予想情報に関連した映像放送用情報と該Ｗｅｂサーバのアドレス情報を含むデータ放送用情報とを保持し、該映像放送用情報と該データ放送用情報とをワンセグ送信機から微弱電波で限られたエリアに放送するローカル放送配信サーバとを備えた予想情報販売方法であって、
前記携帯電話のコンピュータは、
前記エリアにあって前記放送を受信し、該放送に基づいて前記利用者によって入力された前記予想情報の購入要求情報を受け付け、前記データ放送用情報から前記アドレスを抽出し該Ｗｅｂサーバにアクセスして該購入要求情報を送信する予想情報購入要求手順と、
前記Ｗｅｂサーバから会員を特定する認証情報の入力要求に応じて該利用者が入力した該認証情報を返信し、該Ｗｅｂサーバから前記購入要求情報に基づいた前記予想情報を取得する予想情報取得手順と
を有し、前記Ｗｅｂサーバのコンピュータは、
前記携帯電話からの前記購入要求情報を受信し、会員の確認を行う認証情報の入力要求を該携帯電話に送信し、該認証情報要求に基づいて該携帯電話から返信された該認証情報を前記会員情報の参照により認証を行う認証手順と、
前記認証手段により認証が得られた場合に、所定の決済処理を行って前記購入要求情報に対応する前記予想情報を前記記憶部から抽出し、前記携帯電話に送信する予想情報送信手順と
を有することを特徴とした公営競技の予想情報販売方法。
【発明の詳細な説明】
【技術分野】
【０００１】
本発明は公営競技の予想情報販売に関し、より詳細には予想屋が作成したワンセグによるローカル放送とインターネットによるＷｅｂ情報とを連携して携帯電話から購入要求のあったレースの予想情報の販売を行う予想情報販売システム、予想情報販売プログラムおよび予想情報販売方法に関するものである。
【背景技術】
【０００２】
競馬や競輪などの公営競技場では場内の予め割り振られた場所に立ってレースの着順を予想し、その予想情報を販売する予想屋と呼ばれる人がいる。この予想屋は、独自に集めた情報と自身の経験でレースの的中予想を行うが、当然のことながら的中率は予想屋によって差があり、予想屋の話術の巧みさも相まって人気のある予想屋、あるいは名物の予想屋が存在し、その予想屋の前には予想情報を買おうとする人で黒山の人だかりとなる場合がある。
予想屋は公営競技の主催者に申請を行い、認可を得て行われており違法行為ではない（中央競馬会は場内で予想屋の活動を認めていないので予想屋は存在しないし、場内での予想情報の販売行為は非合法である）。予想屋が販売する予想情報はレース毎のものや１日分のものなどがあるが、ファンが予想情報購入の意思表示をするとレース予想を書いた小さな紙片を折り畳んで渡されるので、ファンは料金を支払って受け取り売買が成立する。ファンは紙片に書かれた予想情報を見て投票することになる。
ファンが投票にあたって予想屋から予想情報を購入せずに主催者が提供する公式な情報（オッズや馬、騎手／選手などの情報）やスポーツ新聞や専門誌、あるいはＴＶ放送やインターネットなどから情報を得てレースを予想し投票する場合もある。最近では携帯電話がインターネット接続できるようになり、投票者は好みの公営競技のサイトに接続して情報を取ることも行なわれている。また、携帯電話で地上デジタルテレビ放送サービスの一つであるワンセグ放送が受信できるようになり、競馬場にいながら自身がいる競技場のレースの情報を視聴できるようになった。ワンセグでは映像による番組の他にその番組に関連したデータ放送も可能で、映像を表示しながら文字やボタンを表示させることが可能である。
上記に示した、予想情報の販売に関連した提案がされている。この提案は、サービス業者が予想情報を複数の予想屋から入手してサーバに登録しておき、利用者が利用者端末からサービス業者のサーバにアクセスして気に入った予想屋を指定するとその予想情報に基づいて投票券が購入できものである。また、予想屋はサービス業者に対する予想情報提供の対価を売上に応じて受け取ることができることが提案されている（特許文献１）。    
【特許文献１】特開２００１−１８８８４７号公報
【発明の開示】
【発明が解決しようとする課題】
【０００３】
上記に述べたように、ファンは公営競技場で予想屋からレースの予想情報を購入し、その情報を基に投票することが行われている。このため的中率の高い予想屋は人気が高く、その予想屋の周りは予想情報を購入する多くのファンによって混雑しているのが一般的である。このような状況において公営競技の初心者や女性の中には情報を購入したいと思ってもその場の雰囲気で予想情報の購入に躊躇する面があった。レース間の限られた時間でレースを予想し、投票券の購入が必要なことからこのような状況はファンにとっては有力情報の取得機会を逃し、予想屋にとっては販売機会を逃すことになり双方にマイナスであった。
【０００４】
特許文献１に提案された方法は、予想屋から直接ではなく利用者端末からネットワークを介してサービス業者のシステムの中で気に入った予想屋の予想情報に基づいて投票券の購入ができるため初心者や女性であっても周りを気にすることなく購入できる、という効果を奏する。しかし、この方法はサービス業者が複数の予想屋から予想情報を入手して登録しておくため情報の鮮度に不安が残る。例えば、予想屋が天候や馬の状態を見て当初の予想を急遽変更したい場合に、サービス業者を介しているので、その考慮がなされているかどうか不明である。また、利用者は利用者端末からアクセスし予想屋を指定できるが、利用者端末が例えば携帯電話のように携帯性があるかどうか不明で、場立ちの予想屋を見た上で予想屋を選択したいときにそのようなことができるかどうか不明である。
【０００５】
本発明は、利用者が好みの予想屋の前に行き、利用者の所有する携帯電話で予想屋が流す無料の予想関連情報をＴＶ視聴した上で予想情報の購入が携帯電話から可能とする予想情報販売システム、予想情報販売プログラムおよび予想情報販売方法である。
【課題を解決するための手段】
【０００６】
本発明の公営競技の予想情報販売システム、予想情報販売プログラムおよび予想情報販売方法は以下のように構成される。
（１）第１の発明
第１の発明の予想情報販売システムは、利用者が所持するインターネットとワンセグに対応可能な携帯電話と、公営競技の予想屋によって登録されたレースの予想情報と利用者が会員であること特定する会員情報とを記憶部に保持するＷｅｂサーバと、予想情報に関連した映像放送用情報とＷｅｂサーバのアドレス情報を含むデータ放送用情報とを保持し、映像放送用情報とデータ放送用情報とをワンセグ送信機から微弱電波で限られたエリアに放送するローカル放送配信サーバとを備えるシステムである。
【０００７】
そして、携帯電話は、ローカル放送の受信エリアにあって放送を受信し、その放送に基づいて利用者によって入力された予想情報の購入要求情報を受け付け、ローカル放送のデータ放送用情報からＷｅｂサーバのアドレスを抽出しそのＷｅｂサーバにアクセスして購入要求情報を送信する予想情報購入要求手段と、Ｗｅｂサーバから会員を特定する認証情報の入力要求に応じて利用者が入力した認証情報を返信し、Ｗｅｂサーバから購入要求情報に基づいた予想情報を取得する予想情報取得手段を有することを特徴とする。
【０００８】
また、Ｗｅｂサーバは、携帯電話からの購入要求情報を受信し、会員の確認を行う認証情報の入力要求を携帯電話に送信し、その認証情報要求に基づいて携帯電話から返信された認証情報を会員情報の参照により認証を行う認証手段と、認証手段により認証が得られた場合に所定の決済処理を行って購入要求情報に対応する予想情報を記憶部から抽出し、携帯電話に送信する予想情報送信手段とを有することを特徴とするものである。
（２）第２の発明
第２の発明の予想情報販売システムは、第１の発明の予想情報販売システムのＷｅｂサーバが、さらに予想屋本人を特定する予想屋情報を記憶部に保持する予想屋情報記憶手段と、予想屋端末から予想情報の登録要求または更新要求を受け、予想屋本人の確認を行う認証情報の入力要求を予想屋端末に送信し、予想屋認証情報要求に基づいて予想屋端末から返信された予想屋認証情報を予想屋情報の参照により認証を行う予想屋認証手段と、予想屋認証手段により認証が得られた場合に予想屋端末から送信された予想情報の登録、または更新を記憶部に行う予想情報登録更新手段とを有することを特徴とするものである。
（３）第３の発明
第３の発明の予想情報販売システムは、第１の発明の予想情報販売システムの購入要求情報は、１つ以上を指定したレースに対する予想情報であり、決済処理は購入要求情報に応じて予め設定した所定料金により決済する、ことを特徴とするものである。
（４）第４の発明
第４の発明は、利用者が所持するインターネットとワンセグとに対応可能な携帯電話と、公営競技の予想屋によって登録されたレースの予想情報と利用者が会員であることを特定する会員情報とを記憶部に保持するＷｅｂサーバと、その予想情報に関連した映像放送用情報とＷｅｂサーバのアドレス情報を含むデータ放送用情報とを保持し、映像放送用情報とデータ放送用情報とをワンセグ送信機から微弱電波で限られたエリアに放送するローカル放送配信サーバとを備えた予想情報販売システムにおける該携帯電話と該Ｗｅｂサーバが備える予想情報販売プログラムである。
【０００９】
携帯電話のプログラムは、携帯電話がローカル放送の受信エリアにあってそのローカル放送を受信し、その放送に基づいて利用者によって入力された予想情報の購入要求情報を受け付け、データ放送用情報からＷｅｂサーバのアドレスを抽出し、そのＷｅｂサーバにアクセスして購入要求情報を送信する予想情報購入要求手順と、Ｗｅｂサーバから会員を特定する認証情報の入力要求に応じて利用者が入力した認証情報を返信し、Ｗｅｂサーバから購入要求情報に基づいた予想情報を取得する予想情報取得手順とを携帯電話のコンピュータに実行させるものである。
【００１０】
また、Ｗｅｂサーバのプログラムは、携帯電話からの購入要求情報を受信し、会員の確認を行う認証情報の入力要求を携帯電話に送信し、その認証情報要求に基づいて携帯電話から返信された認証情報を会員情報の参照により認証を行う認証手順と、認証手段により認証が得られた場合に、所定の決済処理を行って購入要求情報に対応する予想情報を記憶部から抽出し、携帯電話に送信する予想情報送信手順とをＷｅｂサーバに実行させるものである。
（５）第５の発明
第５の発明は、利用者が所持するインターネットとワンセグとに対応可能な携帯電話と、公営競技の予想屋によって登録されたレースの予想情報と利用者が会員であることを特定する会員情報とを記憶部に保持するＷｅｂサーバと、その予想情報に関連した映像放送用情報とＷｅｂサーバのアドレス情報を含むデータ放送用情報とを保持し、映像放送用情報とデータ放送用情報とをワンセグ送信機から微弱電波で限られたエリアに放送するローカル放送配信サーバとを備えた予想情報販売方法である。
【００１１】
そして、携帯電話のコンピュータが、ローカル放送の受信エリアにあってローカル放送を受信し、その放送に基づいて利用者によって入力された予想情報の購入要求情報を受け付け、データ放送用情報からＷｅｂサーバのアドレスを抽出し、そのＷｅｂサーバにアクセスして購入要求情報を送信する予想情報購入要求手順と、Ｗｅｂサーバから会員を特定する認証情報の入力要求に応じて利用者が入力した認証情報を返信し、Ｗｅｂサーバから購入要求情報に基づいた予想情報を取得する予想情報取得手順とを有することを特徴とする。
【００１２】
また、Ｗｅｂサーバのコンピュータは、携帯電話からの購入要求情報を受信し、会員の確認を行う認証情報の入力要求を携帯電話に送信し、その認証情報要求に基づいて携帯電話から返信された認証情報を会員情報の参照により認証を行う認証手順と、認証手段により認証が得られた場合に、所定の決済処理を行って購入要求情報に対応する予想情報を前記記憶部から抽出し、携帯電話に送信する予想情報送信手順とを有することを特徴とするものである。
【発明の効果】
【００１３】
上述のように本発明によれば、次に示す効果が得られる。
【００１４】
第１の発明により、利用者が予想屋の近辺に行ってローカル放送の受信エリア入れば、利用者の所持する携帯電話からその予想屋の予想情報を購入できので、初心者や女性が周りを気にすることなく予想情報の購入ができる。また、予想屋および主催者にとって売上増が期待できる。
【００１５】
第２の発明により、予想情報の記憶部への登録や更新において予想屋本人の認証を行うので、記憶部の予想情報が第三者によって改竄されたり抹消されることがない。
【００１６】
第３の発明により、利用者は予想情報の購入を複数のレースの予想情報を指定して購入でき、決済は例えば予想情報の購入量に応じてディスカウントするなどの料金設定ができる。
【００１７】
第４の発明により、第１の発明と同様の効果を有する予想情報販売プログラムの提供が可能となる。
【００１８】
第５の発明により、第１の発明と同様の効果を有する予想情報販売方法の提供が可能となる。
【発明を実施するための最良の形態】
【００１９】
予想情報販売システムの実施形態を、競馬のシステムを例として図１から図６を用いて説明する。
【００２０】
図１は、本発明の予想情報販売システム１００の全体のシステム構成例を示したものである。予想情報販売システム１００の構成は大きく分けて、利用者が所有する携帯電話２００、予想屋Ａ〜Ｃが備えるワンセグによるローカル放送用を行うローカル局サーバ３００〜３２０、予想情報や会員及び予想屋を認証するための認証情報を備えるＷｅｂサーバ４００、携帯電話２００がＷｅｂサーバ４００と接続するためのキャリアサーバ５００、Ｗｅｂサーバ４００が予想情報の販売で決済を行うネットバンク連携サーバ６００から構成する。
【００２１】
各ローカル放送局サーバ３００〜３２０は、予想屋が作成した予想に関連する情報（例えば、騎手や調教師とのインタービュウの映像やレース結果、予想屋の過去の予想成績など映像放送として放送する情報、および番組の案内や予想情報の購入方法、Ｗｅｂサーバ４００のインターネット上のアドレスであるＵＲＬなどをデータ放送として放送する情報）を記憶し、この情報は複数のチャンネルでワンセグで放映する。受信エリア３０２、３１２、３２２はローカル放送局サーバ３００〜３２０のそれぞれに接続された送信機３０１、３１１、３２１から発信される電波の受信が可能なエリアで、送信機３０１、３１１、３２１を中心に略半径３ｍの領域である。
【００２２】
また、ローカル放送局サーバ３００〜３２０はそれぞれ入力部３０３、３１３、３２３を備え、ここから予想屋が予想情報をインターネット網７００を介してＷｅｂサーバ４００に登録、あるいは更新する。即ち、ローカル放送局サーバ３００〜３２０はローカル放送局としてのサーバであり、且つＷｅｂサーバ４００に対しては予想屋端末でもある。
【００２３】
次に携帯電話２００とＷｅｂサーバ４００の構成について説明する。
【００２４】
図２は、携帯電話２００の構成を示すもので、全体を制御する制御部２１０、利用者によって操作される各種キー（数字キーや決定キーなどのファンクションキー）からなる操作部２２０、データや映像の表示を液晶パネルにより行う表示部２３０、チャンネル設定によりローカル放送の番組を受信するＴＶ受信部２４０、インターネットのデータの送受信を行う通信制御部２５０、携帯電話の番号を記憶した識別情報記憶部２６０、取得した予想情報を記憶する予想情報記憶部２７０および主記憶２７０上に展開した予想情報を取得する予想情報購入プログラム２８０から構成する。
【００２５】
さらに予想情報購入プログラム２８０は、初期設定部２８１、予想情報購入部２８２および予想情報取得部２８３から構成する。それそれの概要を次に述べる。
【００２６】
初期設定部２８１は予想情報購入プログラム２８０の起動により予想屋の近くに置かれたローカル放送送信機の基本チャンネルにＴＶ受信機のチャンネルを合わせることを行う。１つの送信機から複数のチャンネルによる番組が放送されるが、基本チャンネルはその内の元になるチャンネルで例えば第１チャンネル（ＣＨ０１）である（複数の予想屋はそれぞれの送信機を設置し、必ず第１チャンネルは基本チャンネルとして放送しているものとし、プログラムの起動時に第１チャンネルに受信機を合わせておけばどの予想屋の受信エリアにいっても必ずローカル放送が受信できる）。また、初期設定部２８１はプログラム起動後のキー操作はこの予想情報購入プログラム２８０で設定した意味を持つようにする（例えば、＃ボタンが押されたときは、この予想情報購入プログラム２８０を終了させる処理を行う）。
【００２７】
予想情報購入部２８２は、利用者によって操作部２２０から入力された購入要求情報を取得すると受信しているデータ放送からＷｅｂサーバ４００のＵＲＬを抽出し、ＵＲＬと購入要求情報とをキャリアサーバ５００に送信し、キャリアサーバ５００によって接続されたＷｅｂサーバ４００に対して購入要求を行う。
【００２８】
予想情報取得部２８３は、Ｗｅｂサーバ４００から購入要求に伴う本人認証のための暗証番号の入力要求に対し利用者が入力したを認証情報である暗証番号をＷｅｂサーバ４００に送信する。そして、Ｗｅｂサーバ４００から送信された予想情報を取得し、予想情報記憶部２７０に格納すると共に表示部２３０に表示する（携帯電話２００とＷｅｂサーバ４００との情報の遣り取りは実際にはキャリアサーバ５００を介して行われるが、ここでは直接情報の遣り取りを行うように表現している）。
【００２９】
図３は、Ｗｅｂサーバ４００の構成を示すもので、全体を制御する制御部４１０、インターネット網７００と接続し送受信を制御する通信制御部４２０、現在時刻を計時する計時部４３０、会員の認証や決済に必要な情報を記憶する会員認証情報記憶部４４１、予想屋の認証に必要な情報を記憶する予想屋認証情報記憶部４４２、予想屋端末（ローカル放送放送サーバ３００〜３２０が予想屋端末になる）から登録するために送信された予想情報を記憶する予想情報記憶部４４３、および主記憶４５０上に展開した予想情報を販売する予想情報販売プログラム４６０から構成する。
【００３０】
さらに予想情報販売プログラム４６０は、予想屋認証部４６１、予想情報登録・更新部４６２、会員認証部４６３、決済処理部４６４および予想情報送信部４６５から構成する。それそれの概要を次に述べる。
【００３１】
予想屋認証部４６１は、予想屋端末からの予想情報の登録・更新に際して、予想屋端末に予想屋本人を認証するための予想屋認証情報である暗証番号の入力を要求し、これに基づいて予想屋端末から返信されてきた暗証番号を予想屋認証情報記憶部４４２を参照して正規の予想屋かどうかの判定を行う。
【００３２】
予想情報登録・更新部４６２は、予想屋認証部４６１で正規の予想屋と判定した場合に予想屋端末から送信された予想情報を取得し予想情報記憶部４４３に登録、または登録してある予想情報を更新する。
【００３３】
会員認証部４６３は、携帯電話２００からの予想情報の購入に際して、会員認証情報記憶部４４１を参照して正規の会員かどうかの判定を行う。Ｗｅｂサーバ４００はキャリアサーバ５００との接続に際し、携帯電話番号と購入情報を受信しており、この携帯番号を会員ＩＤと見なしている（キャリアサーバ５００は携帯電話２００からインターネット接続の要求を受けたとき、携帯電話番号を取得している）。そして、利用者の携帯電話２００に認証情報である暗証番号の入力要求を行い、返信されてきた暗証番号と携帯電話番号とのセットが会員認証情報記憶部４４１に登録してあるかどうかを調べ、登録されていれば正規の会員であると判定する。
【００３４】
決済処理部４６４は、会員認証部４６３で正規の会員と判定した場合に、決済に必要な情報（例えば、会員氏名とその会員の口座番号、予想屋ＩＤとその口座番号、決済金額など）をネットバンク連携サーバ６００に送信し、ネットバンク連携サーバ６００からの決済完了情報を取得する（ネットバンク連携サーバ６００では会員の口座と予想屋の口座を備え、Ｗｅｂサーバ４００からの決済要求に基づいて決済後、決済処理完了の情報をＷｅｂサーバ４００に送る）。
【００３５】
予想情報送信部４６５は、ネットバンク連携サーバ６００から決済完了情報を得た後に、要求された予想情報を予想情報記憶部４４３から抽出し、携帯電話２００にキャリアサーバ５００を介して送信する。
【００３６】
会員認証情報記憶部４４３のデータ例を図４に示す。会員認証情報記憶部４４３は「会員ＩＤ」、「暗証番号」、「会員名」、「口座番号」などのフィールドから構成する。なお、ここでは会員ＩＤを携帯番号としており、最初の「０９０１１１１２２２２」の会員の暗証番号は「０４１０」であり、会員名は「富士太郎」、口座番号は「８２７９９６５」である。
【００３７】
次に、図１に示した予想情報販売システム１００を構成する携帯電話２００と各サーバ（ネット連携サーバ６００は除く）のフローを図５を用いて説明する。図５は、左からローカル放送サーバ３００、携帯電話２００、キャリアサーバ５００およびＷｅｂサーバ４００を示し、それらの下に処理の内容を示す。ここでの例は、携帯電話２００が予想屋Ａから予想情報を購入するフローを示す例を示している。
【００３８】
まず、予想屋Ａのローカル放送サーバ３００は予想屋Ａが作成した映像放送用とデータ放送用のコンテンツで放送が行われている。利用者は予想屋Ａの近傍に行って、ローカル放送サーバ３００の受信エリア３０１に入り、携帯電話２００の予想情報購入プログラム２８０を立ち上げると、予想情報購入プログラム２８０の初期設定部２８１により、ＴＶチャンネルはＣＨ０１（第１チャンネル）に設定され、ローカル放送サーバ３００の送信機３０１からパドック映像を受信する（ＣＨ０１にはそのローカル放送が放送しているチャンネル毎の番組案内がデータ放送として映像と共に表示され、ＣＨ０１以外の番組では番組の映像に加えて予想情報の購入を行う方法を示す文字情報がデータ放送されているものとする）。図６（ａ）は携帯電話２００が予想屋Ａの受信エリア３０１でＣＨ０１のローカル放送を受信して表示している例を示す（Ｓ１００）。
【００３９】
続いて、利用者がチャンネルを例えばＣＨ０３の騎手インタービュウ映像の画面に切替え、予想情報を購入するため「＊」ボタン（全てのレース予想情報の購入）を押したものとすると、それによって携帯電話２００はその「＊」ボタンのコードを購入情報として取得する（図６（ｂ）に携帯電話の表示例を示す）。購入情報の取得に伴い、データ放送からＷｅｂサーバ４００のＵＲＬを取得する（予想屋Ａのデータ放送では予想屋Ａの予想情報を記憶したＷｅｂサーバ４００のＵＲＬが各チャンネルで放送されているものとする）。購入情報とＵＲＬをキャリアサーバ５００に送信し、Ｗｅｂサーバ４００との接続を要求する（Ｓ１１０−Ｓ１３０）。
【００４０】
キャリアサーバ５００は携帯電話２００から購入情報とＵＲＬの情報に加えて携帯電話の番号を取得し、ＵＲＬによりＷｅｂサーバ４００と接続する。そして、購入情報と携帯電話番号とをＷｅｂサーバ４００に送信する。Ｗｅｂサーバ４００はこの情報を受信し、本人認証を行うために暗証番号の入力要求を携帯電話２００に対して行う。キャリアサーバ５００を介して携帯電話２００はこの入力要求を受信し、暗証番号の入力を行ってキャリアサーバ５００を介してＷｅｂサーバ４００に返信する。Ｗｅｂサーバ４００は会員認証情報記憶部４４１を参照して、会員ＩＤである携帯電話番号と暗証番号のセットが登録されているかどうかを確認する。携帯電話番号に対応した暗証番号が会員認証情報記憶部４４１に存在すれば本人であることが認証される。即ち、予想情報の購入を行った利用者は正規会員であることが確認されることになる。（Ｓ１４０−Ｓ１９０）。
【００４１】
次に、Ｗｅｂサーバ４００は、購入情報に基づいて購入金額を求め、この購入金額と会員の氏名と口座番号、予想屋Ａの氏名と口座番号とを決済情報としてネットバンク連携サーバ６００に送信し決済要求を行う。ネットバンク連携サーバ６００での決済処理の完了によりネットバンク連携サーバ６００から送られてきた決済完了情報を得て、購入情報に対応する予想情報を予想情報記憶部４４３から抽出し、キャリアサーバ５００を介して携帯電話２００に送信する。携帯電話２００は予想情報を取得し、携帯電話２００の予想情報記憶部２７０に記憶すると共に予想情報を表示部２３０に表示する。図６（ｃ）に取得した予想情報の表示例を示す。なお、１日の全てのレース予想を購入する要求がなされが、その内の幾つかのレースが既に終了しているような場合もあり得る。このような場合は、Ｗｅｂサーバ４００は計時部４３０から現在時刻を取得し、残りのレースの予想情報を携帯電話２００に送信する。その場合は、送信した予想情報の数に応じた料金で決済するようにする。
【００４２】
以上により、携帯電話２００は予想屋Ａの受信エリア３０２において予想屋Ａの予想情報の購入を行うことができる。携帯電話２００が受信エリア３０２に入って予想屋Ａのローカル放送を受信するが、この情報は無料である。無料であるローカル放送のコンテンツを工夫して、利用者に予想情報の購入意欲を持たせることも予想屋にとっては必要である。
【００４３】
次に、予想屋Ａが予想情報をＷｅｂサーバ４００に登録する例を図７を用いて説明する。予想屋Ａは図１のローカル放送サーバ３００の入力部３０３（この場合、ローカル放送サーバ３００はＷｅｂサーバ４００から見て予想屋端末となる）から予想情報を入力し、インターネットを介してＷｅｂサーバ４００にアクセスする（Ｓ３００、Ｓ３１０）。
【００４４】
Ｗｅｂサーバ４００は予想屋ＩＤと暗証番号の入力を要求し、これを受けて予想屋Ａは入力部３０３から予想屋ＩＤと暗証番号を入力し送信する。Ｗｅｂサーバ４００は送信されてきた予想屋ＩＤと暗証番号のセットが予想屋認証情報記憶部４４３に記憶されているかどうかを調べ、記憶されていることが確認されれば予想屋Ａは正規の予想屋であると判断する（Ｓ３２０−Ｓ３４０）。
【００４５】
次に、予想情報の送信を要求すると、これに基づいて予想屋Ａは先に入力した予想情報をＷｅｂサーバ４００に送信する。Ｗｅｂサーバ４００は予想情報記憶部４４３に登録する（Ｓ３５０−Ｓ３７０）。
【００４６】
以上述べたように予想情報の登録は正規の予想屋以外の者の登録を防止するため予想屋ＩＤと暗証番号とを要求し、予想屋本人を確認した後に予想情報の登録を行う。予想情報の更新も登録と同様に予想屋本人を確認して情報の改竄がなされないよう更新処理を行う。
【図面の簡単な説明】
【００４７】
【図１】予想情報販売システムのシステム構成例である。
【図２】携帯電話の構成例である。
【図３】Webサーバの構成例である。
【図４】会員情報記憶部のデータ例である。
【図５】予想情報購入のフロー例である。
【図６】ローカル放送と予想情報の表示例である。
【図７】予想屋による予想情報の登録フロー例である。
【符号の説明】
【００４８】
１００  予想情報販売システム
２００  携帯電話
２１０  制御部
２２０  操作部
２３０  表示部
２４０  ＴＶ受信部
２５０  通信制御部
２６０  予想情報記憶部
２７０  主記憶
２８０  予想情報購入プログラム
２８１  初期設定部
２８２  予想情報購入部
２８３  予想情報取得部
３００  ローカル局サーバＡ
３０１  送信機Ａ
３０２  受信エリアＡ
３０３  操作部Ａ
３１０  ローカル局サーバＡ
３１１  送信機Ｂ
３１２  受信エリアＢ
３１３  操作部Ｂ
３２０  ローカル局サーバＢ
３２１  送信機Ｃ
３２２  受信エリアＣ
３２３  操作部Ｃ
４００  Ｗｅｂサーバ
４１０  制御部
４２０  通信制御部
４３０  計時部
４４０  会員認証情報記憶部
４４２  予想屋認証情報記憶部
４４３  予想情報記憶部
４５０  主記憶部
４６０  予想情報販売プログラム
４６１  予想屋認証部
４６２  予想情報登録・更新部
４６３  会員認証部
４６４  決済処理部
４６５  予想情報送信部
５００  キャリアサーバ
６００  ネットバンク連携サーバ
７００  インターネット網
【図１】
2008282202.tif 000003
【図２】
2008282202.tif 000004
【図３】
2008282202.tif 000005
【図４】
2008282202.tif 000006
【図５】
2008282202.tif 000007
【図６】
2008282202.tif 000008
【図７】
2008282202.tif 000009